(57)【特許請求の範囲】
【請求項１】
釣竿に装着可能な両軸受リールであって、
ハンドルと、
前記ハンドルが回転可能に取り付けられる第１リール本体部と、
前記第１リール本体部と軸方向に間隔をあけて配置される円筒状の第２リール本体部と、
前記第１リール本体部と前記第２リール本体部との間に配置されるスプールと、
前記両軸受リールが前記釣竿に装着されたときに、第１方向を向き且つ前記釣竿に接触する装着面、を有する装着部と、
を備え、
前記第２リール本体部の第２円筒部は外周面、前記第２リール本体部の前記第２円筒部の軸方向外側の端面を覆う第２カバー部は軸方向外側を向く外側面、を有し、
前記第２リール本体部の前記第２円筒部の外周面は、第１方向側端部の幅が、前記第１方向とは反対の第２方向側端部の幅よりも小さく、
前記第２リール本体部は、前記第２方向側端部に親指を載置可能であり、
前記第２リール本体部の前記第２円筒部は、前記第２リール本体部の前記第１方向側端部において、前記外周面と外側面とが交差する部分に形成された欠肉部を有し、
前記欠肉部によって、前記第１方向側端部の幅が前記第２方向側端部の幅よりも小さくなり、
前記第２リール本体部は、前記第２方向側端部に表示部を有さない、
両軸受リール。
【請求項２】
前記欠肉部は、前記外周面と外側面が交差する部分に形成された面取り部である、
請求項１に記載の両軸受リール。
【請求項３】
前記面取り部は、前記第２リール本体部の全周に亘って形成され、
前記第２リール本体部の第１方向側端部に形成された前記面取り部の幅は、前記第２リール本体部の第１方向側端部とは反対側の第２方向側端部に形成された前記面取り部の幅よりも大きい、
請求項２に記載の両軸受リール。
【請求項４】
前記面取り部の幅は、前記第１方向側に向かって大きくなる、
請求項２または３に記載の両軸受リール。
【請求項５】
前方に釣糸を繰り出す両軸受リールであって、
前記第２リール本体部の前部に形成された前記面取り部の幅は、前記第２リール本体部の後部に形成された前記面取り部の幅よりも小さい、
請求項２から４のいずれかに記載の両軸受リール。
【請求項６】
正面視において、前記外側面の外周縁は、軸方向に対して垂直に延びる、
請求項２から５のいずれかに記載の両軸受リール。                                                                               
【発明の詳細な説明】
【技術分野】
【０００１】
本発明は、両軸受リールに関するものである。
【背景技術】
【０００２】
両軸受リールは、ハンドルと、第１リール本体部と、第２リール本体部と、スプールとを備える。ハンドルは、第１リール本体部に回転可能に取り付けられている。第１リール本体部と第２リール本体部とは、軸方向において互いに間隔をあけて配置されている。この第１リール本体部と第２リール本体部との間にスプールが配置されている。
【０００３】
特許文献１に示すように、両軸受リールでは、第２リール本体部側からリール本体を握る、いわゆるパーミングをしながらスプール又は釣竿の操作を行うことがある。このパーミング時は、ハンドルを持つ手と反対の手（右側ハンドルの両軸受リールの場合は左手）でリール本体を釣竿とともに握る。
【先行技術文献】
【特許文献】
【０００４】
【特許文献１】特開２００３−１４４０２１号公報
【発明の概要】
【発明が解決しようとする課題】
【０００５】
上述したような両軸受リールにおいて、糸巻き量を増やすためにスプールの幅を大きくすると、第２リール本体部が釣竿から遠ざかるため、パーミングが困難になるおそれがある。本発明の課題は、このパーミングを容易に行うことのできる両軸受リールを提供することにある。
【課題を解決するための手段】
【０００６】
本発明のある側面に係る両軸受リールは、釣竿に装着可能な両軸受リールである。この両軸受リールは、ハンドルと、第１リール本体部と、第２リール本体部と、スプールと、装着部と、を備えている。第１リール本体部は、ハンドルが回転可能に取り付けられる。第２リール本体部は、第１リール本体部と軸方向に間隔をあけて配置される。第２リール本体部は、円筒状である。スプールは、第１リール本体部と第２リール本体部との間に配置される。装着部は、装着面を有する。両軸受リールが釣竿に装着されたとき、装着面は、第１方向を向き且つ釣竿に接触する。第２リール本体部は、外周面、及び外側面を有する。外側面は、軸方向外側を向く。第２リール本体部の外周面は、第１方向側端部の幅が、第１方向とは反対の第２方向側端部の幅よりも小さい。
【０００７】
この構成によれば、第２リール本体部の幅は、第１方向側の方が、第２方向側よりも小さくなる。この結果、第２リール本体部をパーミングした際に、第２リール本体部の第２方向側端部において、親指を載置するスペースを確保しつつ、第２リール本体部を容易にパーミングすることができる。
【０００８】
好ましくは、第２リール本体部は、欠肉部を有する。欠肉部は、第２リール本体部の第１方向側端部において、外周面と外側面とが交差する部分に形成される。
【０００９】
好ましくは、欠肉部は、面取り部である。面取り部は、外周面と外側面とが交差する部分に形成されている。
【００１０】
好ましくは、面取り部は、第２リール本体部の全周に亘って形成されている。第２リール本体部の第１方向側端部に形成された面取り部の幅は、第２リール本体部の第２方向側端部に形成された面取り部の幅よりも大きい。なお、第２方向側端部は、第１方向側端部とは反対側の端部である。
【００１１】
好ましくは、面取り部の幅は、第１方向側に向かって大きくなる。
好ましくは、前方に釣糸を繰り出す両軸受リールであって、第２リール本体部の前部に形成された面取り部の幅は、第２リール本体部の後部に形成された面取り部の幅よりも小さい。
【００１２】
好ましくは、正面視において、外側面の外周縁は、軸方向に対して垂直に延びる。正面視において、外側面の外周縁は、軸方向に対して傾斜していてもよい。
【発明の効果】
【００１３】
本発明に係る両軸受リールによれば、パーミングを容易に行うことができる。
【図面の簡単な説明】
【００１４】
【図１】両軸受リールの正面図。
【図２】両軸受リールの背面図。
【図３】両軸受リールの平面図。
【図４】両軸受リールの断面図。
【発明を実施するための形態】
【００１５】
以下、本発明に係る両軸受リールの実施形態について図面を参照しつつ説明する。なお、以下の説明において、軸方向とは、スプールの回転軸Ｏが延びる方向を言う。軸方向の内側とは、軸方向においてスプール側を意味し、軸方向の外側とは、軸方向においてスプールから離れる側を意味する。周方向とは、回転軸Ｏを中心とした円の周方向を言う。径方向とは、回転軸Ｏを中心とした円の径方向を言う。前方とは、両軸受リールの釣糸繰り出し方向を言う。
【００１６】
［両軸受リール］
図１から図３に示すように、両軸受リール１００は、釣竿に装着可能である。両軸受リール１００は、第１リール本体部１、第２リール本体部２、スプール３、ハンドル４、及び回転伝達機構６（図４参照）を備えている。
【００１７】
［第１リール本体部］
第１リール本体部１は、ハンドル４が回転可能に取り付けられている。第１リール本体部１は、内部空間を有している。この第１リール本体部１の内部空間に、回転伝達機構６が収容されている。第１リール本体部１は、第１円筒部１１と、第１カバー１２とを有している。この第１円筒部１１と第１カバー１２とによって、内部空間が画定されている。
【００１８】
［第２リール本体部］
第２リール本体部２は、第１リール本体部１と軸方向において間隔をあけて配置されている。第１リール本体部１と第２リール本体部２との間にスプール３が配置されている。第１リール本体部１と第２リール本体部２とによってリール本体１０を構成する。第２リール本体部２は、円筒状である。
【００１９】
第２リール本体部２は、第２円筒部２１と、第２カバー部２２とを有している。第２円筒部２１は、第１円筒部１１と、連結部１３を介して、連結されている。なお、連結部１３は、軸方向に延びている。第１円筒部１１、第２円筒部２１、及び連結部１３は、一体的に形成されており、リール本体１０のフレームを構成している。例えば、第１円筒部１１、第２円筒部２１、及び連結部１３は、アルミ合金でダイキャスト成形によって一体的に形成されている。
【００２０】
この連結部１３に、装着部１４が取り付けられている。装着部１４は、両軸受リール１００を釣竿に装着するための部材である。装着部１４は、前後方向に延びている。装着部１４は、装着面１４１を有する。装着面１４１は、第１方向を向いている。すなわち、第１方向とは、装着面１４１が向く方向である。図１及び図２の下方向が第１方向である。両軸受リール１００が釣竿に装着されたとき、装着面１４１は、釣竿と接触する。
【００２１】
第２カバー部２２は、第２円筒部２１の軸方向外側の端面を覆う。第２カバー部２２は、円板状である。第２カバー部２２は、第２円筒部２１から取り外し可能である。なお、第２カバー部２２は、第２円筒部２１と一体的に形成されていてもよい。
【００２２】
第２リール本体部２は、外周面２ａ、外側面２ｂ、及び面取り部２ｃ（欠肉部の一例）を有している。外周面２ａは、円筒状の第２リール本体部２の径方向外側を向く面である。外周面２ａは、第２円筒部２１の外周面である。
【００２３】
外側面２ｂは、軸方向の外側を向く面である。具体的には、図１及び図３において外側面２ｂは右側を向いており、図２において外側面２ｂは左側を向いている。外側面２ｂは、第２カバー部２２の外側面である。正面視において、外側面２ｂの外周縁２ｄは、軸方向に対して垂直に延びている。外側面２ｂは、軸方向の外側に膨らむように湾曲している。なお、正面視における外側面２ｂの外周縁２ｄは、外側面２ｂの上端と下端とを結んだ線となる。この線が、軸方向に対して垂直に延びている。なお、外側面２ｂは、完全に垂直である必要は無い。
【００２４】
面取り部２ｃは、外周面２ａと外側面２ｂとが交差する部分に形成されている。面取り部２ｃは、第２リール本体部２の軸方向外側端部の外周縁部を面取り加工することによって形成されている。なお、本実施形態では、面取り部２ｃは、第２円筒部２１の軸方向外側端部に形成されている。面取り部２ｃは、第２円筒部２１の外周縁部に沿って形成されている。面取り部２ｃは、環状に延びている。すなわち、面取り部２ｃは、第２リール本体部２の全周に亘って形成されている。面取り部２ｃは、軸方向の外側且つ径方向の外側を向くように傾斜している。
【００２５】
面取り部２ｃの幅は、周方向において変化している。第２リール本体部２の第１方向側端部に形成された面取り部２ｃの幅ｗ１は、第２リール本体部２の第２方向側端部に形成された面取り部２ｃの幅ｗ２よりも大きい。なお、面取り部２ｃの幅とは、面取り部２ｃにおける軸方向の寸法を言う。面取り部２ｃの幅は、第２リール本体部２の第２方向側端部から第１方向側端部に向かって大きくなる。特に限定されるものではないが、第２リール本体部２の第１方向側端部に形成された面取り部２ｃの幅ｗ１は、３〜６ｍｍ程度とすることができる。また、第２リール本体部２の第２方向側端部に形成された面取り部２ｃの幅ｗ２は、１〜３ｍｍ程度とすることができる。この幅ｗ１と幅ｗ２との差は、２ｍｍ程度とすることができる。
【００２６】
このように、第２リール本体部２の第１方向側端部に形成された面取り部２ｃの幅ｗ１は、第２リール本体部２の第２方向側端部に形成された面取り部２ｃの幅ｗ２よりも大きい。このため、第２リール本体部２の第１方向側端部における外周面２ａの幅は、第２方向側端部における外周面２ａの幅よりも小さくなっている。この結果、第２リール本体部２をパーミングする際に、第２リール本体部２の第２方向側において親指を載置するスペースを確保することができつつ、第２リール本体部２を容易にパーミングすることができる。
【００２７】
図３に示すように、第２リール本体部２の前部に形成された面取り部２ｃの幅は、第２リール本体部２の後部に形成された面取り部２ｃの幅よりも小さい。これにより、よりパーミングし易い形状となっている。
【００２８】
［スプール］
スプール３は、第１リール本体部１と第２リール本体部２との間において、回転可能に配置されている。スプール３の外周面には、釣糸が巻き付けられる。図４に示すように、スプール３は、スプール軸３０に固定され、スプール軸３０と一体的に回転する。なお、スプール軸３０は、第１リール本体部１と第２リール本体部２との間を延びている。スプール軸３０は、軸受部材などを介して、第１及び第２リール本体部１，２に回転可能に支持されている。
【００２９】
［ハンドル］
ハンドル４は、第１リール本体部１に回転可能に装着されている。詳細には、ハンドル４は、第１リール本体部１から突出した駆動軸６１に取り付けられている。ハンドル４の回転は、回転伝達機構６を介してスプール３に伝達される。
【００３０】
［回転伝達機構］
回転伝達機構６は、ハンドル４の回転をスプール３に伝達する機構である。回転伝達機構６は、第１リール本体部１の内部空間内に配置されている。詳細には、回転伝達機構６は、駆動軸６１、駆動ギア６２、及びピニオンギア６３を有する。
【００３１】
駆動軸６１は、ハンドル４と連結されており、ハンドル４と一体的に回転する。なお、駆動軸６１は、ワンウェイクラッチ６４によって、釣糸繰り出し方向への回転が禁止される。
【００３２】
駆動ギア６２は、駆動軸６１に装着され、駆動軸６１と一体的に回転する。ピニオンギア６３は、駆動ギア６２にかみ合う。なお、ピニオンギア６３は筒状である。ピニオンギア６３は、クラッチ機構６５を介してスプール軸３０と連結されている。クラッチ機構６５がオン状態のとき、ピニオンギア６３とスプール軸３０は一体的に回転し、クラッチ機構６５がオフ状態のときはピニオンギア６３とスプール軸３０とは相対回転可能となる。例えば、クラッチ機構６５は、スプール軸３０を径方向に貫通する係合ピンと、ピニオンギア６３に形成された係合凹部とによって構成される。ピニオンギア６３が軸方向に移動することによって、クラッチ機構６５のオン状態とオフ状態とを切り替える。
【００３３】
［変形例］
以上、本発明の実施形態について説明したが、本発明はこれらに限定されるものではなく、本発明の趣旨を逸脱しない限りにおいて種々の変更が可能である。例えば、上記実施形態において、面取り部２ｃは、Ｃ面取り加工によって形成されているが、Ｒ面取り加工によって形成されてもよい。
【００３４】
また、上記実施形態では、欠肉部の一例として面取り部２ｃを例示したが、欠肉部は面取り部２ｃに限定されない。例えば、面取り部２ｃの代わりに段差部が欠肉部として形成されていてもよい。
【００３５】
また、上記実施形態では、外側面２ｂの外周縁２ｄは、軸方向に対して垂直に延びているが、軸方向に対して傾斜していてもよい。
【００３６】
また。上記実施形態では、面取り部２ｃの幅は、第２側端部から第１側端部に向かって徐々に大きくなっているが、段階的に大きくなってもよい。
【符号の説明】
【００３７】
１        ：第１リール本体部
２        ：第２リール本体部
２ａ      ：外周面
２ｂ      ：外側面
２ｃ      ：面取り部
３        ：スプール
４        ：ハンドル
１０      ：リール本体
１４      ：装着部
１４１    ：装着面
１００    ：両軸受リール
【図１】
0006769722.tif 000002
【図２】
0006769722.tif 000003
【図３】
0006769722.tif 000004
【図４】
0006769722.tif 000005